(57)【要約】【課題】住居に居住する複数の対象者の健康状態を通知することが可能な情報処理装置等を提供する。【解決手段】住居内に、居住する対象者に関する対象者情報を検知するセンシングデバイスが設置されている。情報処理装置は、センシングデバイスによって検知された対象者情報を取得し、取得した対象者情報をそれぞれの対象者の属性に応じて分析してそれぞれの対象者の健康状態を判定する。情報処理装置は、判定したそれぞれの対象者の健康状態を対象者の端末装置に出力する。【選択図】図１
2020135132.tif 000002
【特許請求の範囲】
【請求項１】
住居に居住する複数の対象者夫々の属性情報を記憶する記憶部と、
前記住居内の１箇所又は複数箇所に設置され前記対象者に関する対象者情報を検知する１つ又は複数種類のセンシングデバイスによって検知された前記対象者情報を取得する取得部と、
前記対象者の属性情報に応じて前記対象者情報を分析し、前記対象者の健康状態を判定する判定部と、
前記対象者夫々の健康状態を前記対象者の端末装置に出力する出力部と
を備える情報処理装置。
【請求項２】
前記取得部が取得した前記対象者情報に基づいて前記対象者を識別する識別部を更に備え、
前記判定部は、前記識別部が識別した対象者毎に前記対象者情報を分析する
請求項１に記載の情報処理装置。
【請求項３】
前記出力部は、全ての前記対象者の前記健康状態を夫々示す指標値を一覧表示するための表示情報を出力し、
前記表示情報に基づく画面を介して前記対象者のいずれかに対する選択を受け付ける受付部を更に備え、
前記出力部は、選択された前記対象者の前記健康状態の詳細を示す健康情報を出力する
請求項１又は２に記載の情報処理装置。
【請求項４】
前記出力部は、前記対象者の前記健康状態の詳細を示す健康情報のうちで、公開対象に設定されている健康情報を出力する
請求項３に記載の情報処理装置。
【請求項５】
前記対象者毎に、前記センシングデバイスが前記対象者情報を検知した検知日時と、前記取得部が取得した前記対象者情報とを対応付けて記憶する対象者情報記憶部を更に備え、
前記判定部は、前記対象者情報記憶部に記憶してある対象者情報に基づいて、前記対象者情報の時系列変化を検出し、前記対象者情報の時系列変化に基づいて前記対象者の健康状態を判定する
請求項１から４までのいずれかひとつに記載の情報処理装置。
【請求項６】
前記判定部は、前記対象者の属性情報に応じた判定処理によって前記対象者の健康状態を判定する
請求項１から５までのいずれかひとつに記載の情報処理装置。
【請求項７】
前記対象者又は前記対象者の属性情報毎に、健康状態を通知する端末装置の宛先情報を記憶する宛先記憶部と、
前記対象者又は前記対象者の属性情報に応じた前記端末装置の宛先情報を取得する宛先取得部とを更に備え、
前記出力部は、前記宛先取得部が取得した前記宛先情報に基づいて、前記対象者の健康状態を出力する
請求項１から６までのいずれかひとつに記載の情報処理装置。
【請求項８】
前記取得部は、前記対象者が摂取する食事を撮像する撮像装置が取得した撮像画像を取得し、
前記判定部は、前記撮像画像に基づいて前記食事の栄養情報を分析し、前記対象者の摂取栄養情報を判定する
請求項１から７までのいずれかひとつに記載の情報処理装置。
【請求項９】
情報処理装置が、
住居に居住する複数の対象者夫々の属性情報を記憶部に記憶し、
前記住居内の１箇所又は複数箇所に設置され前記対象者に関する対象者情報を検知する１つ又は複数種類のセンシングデバイスによって検知された前記対象者情報を取得し、
前記対象者の属性情報に応じて前記対象者情報を分析し、前記対象者の健康状態を判定し、
前記対象者夫々の健康状態を前記対象者の端末装置に出力する
処理を実行する情報処理方法。
【請求項１０】
コンピュータに、
住居に居住する複数の対象者夫々の属性情報を記憶部に記憶し、
前記住居内の１箇所又は複数箇所に設置され前記対象者に関する対象者情報を検知する１つ又は複数種類のセンシングデバイスによって検知された前記対象者情報を取得し、
前記対象者の属性情報に応じて前記対象者情報を分析し、前記対象者の健康状態を判定し、
前記対象者夫々の健康状態を前記対象者の端末装置に出力する
処理を実行させるプログラム。
【請求項１１】
コンピュータに、
住居内の１箇所又は複数箇所に設置され前記住居に居住する複数の対象者に関する対象者情報を検知する１つ又は複数種類のセンシングデバイスによって検知された前記対象者情報を前記対象者夫々の属性情報に応じて分析して得られた前記対象者の健康状態を示すデータを取得し、
取得した前記データに基づいて、前記対象者の健康状態を夫々示す指標値を表示部に一覧表示し、
一覧表示した画面を介して前記対象者のいずれかに対する選択を受け付け、
選択された前記対象者の前記健康状態の詳細を示す健康情報を取得し、
取得した前記健康情報を前記表示部に表示する
処理を実行させるプログラム。
【発明の詳細な説明】
【技術分野】
【０００１】
本開示は、情報処理装置、情報処理方法及びプログラムに関する。
【背景技術】
【０００２】
近年、高齢者の単独世帯や夫婦のみの世帯が増加しており、このような高齢者の生活状況を監視し、医師又は看護師等の医療関係者、あるいは、別居している家族等に通知するサービスが提供されている。例えば特許文献１では、居住者の生活状況や生活環境を検知し、検知結果に応じた表現で通知相手に通知するシステムが提案されている。特許文献１に開示されたシステムでは、通知相手側に設けられた装置が、例えば居住者の生活状況や生活環境に応じた色のＬＥＤを発光させることにより居住者の状況を通知する。
【先行技術文献】
【特許文献】
【０００３】
【特許文献１】特開２００４−１８５４３１号公報
【発明の概要】
【発明が解決しようとする課題】
【０００４】
特許文献１に開示されたシステムでは、例えば別居している高齢者の状況を遠隔地において把握することができる。一方、現役世代では普段の生活において自身の健康状態を気に掛ける人は少なく、身体に不調を感じた場合に医療機関を受診したり、不調を感じていても医療機関を受診しない人もいる。また子供の場合、自身の不調に気付かなかったり気付くのが遅かったりして子供の不調を見逃す可能性がある。よって、現役世代や子供の状態を客観的に把握できることが望まれる。しかし、特許文献１に開示されたようなシステムでは現役世代や子供を監視対象者とすることは想定されておらず、現役世代や子供の状態を把握することは困難である。
【０００５】
本開示は、斯かる事情に鑑みてなされたものであり、その目的とするところは、現役世代や子供等、住居に居住する複数の対象者の健康状態を通知（出力）することが可能な情報処理装置等を提供することにある。
【課題を解決するための手段】
【０００６】
本開示に係る情報処理装置は、住居に居住する複数の対象者夫々の属性情報を記憶する記憶部と、前記住居内の１箇所又は複数箇所に設置され前記対象者に関する対象者情報を検知する１つ又は複数種類のセンシングデバイスによって検知された前記対象者情報を取得する取得部と、前記対象者の属性情報に応じて前記対象者情報を分析し、前記対象者の健康状態を判定する判定部と、前記対象者夫々の健康状態を前記対象者の端末装置に出力する出力部とを備える。
【発明の効果】
【０００７】
本開示では、住居に居住する複数の対象者の健康状態を通知（出力）することができ、通知を受け付けた人は、それぞれの対象者の健康状態を把握することができる。
【図面の簡単な説明】
【０００８】
【図１】管理システムの構成例を示すブロック図である。
【図２】エッジコンピュータの構成例を示すブロック図である。
【図３】エッジコンピュータに記憶されるＤＢの構成例を示す模式図である。
【図４】エッジコンピュータの制御部によって実現される機能を示すブロック図である。
【図５】サーバの構成例を示すブロック図である。
【図６】サーバに記憶されるＤＢの構成例を示す模式図である。
【図７】サーバの制御部によって実現される機能を示すブロック図である。
【図８】画面例を示す模式図である。
【図９】画面例を示す模式図である。
【図１０】ユーザ端末の構成例を示すブロック図である。
【図１１】エッジコンピュータによる検知情報の蓄積処理の手順を示すフローチャートである。
【図１２】サーバによる健康情報の蓄積処理の手順を示すフローチャートである。
【図１３】サーバによる健康情報の提供処理の手順を示すフローチャートである。
【図１４】実施形態２のサーバが記憶する対象者ＤＢの構成例を示す模式図である。
【図１５】実施形態２のサーバによる通知処理の手順を示すフローチャートである。
【図１６】画面例を示す模式図である。
【図１７】画面例を示す模式図である。
【図１８】実施形態３の詳細画面例を示す模式図である。
【発明を実施するための形態】
【０００９】
以下に、本発明に係る情報処理装置、情報処理方法及びプログラムについて、その実施形態を示す図面に基づいて詳述する。以下の実施形態では、本発明に係る情報処理装置を適用したサーバを備え、対象者の健康状態をサーバで管理する管理システムを例に本発明を説明する。
【００１０】
（実施形態１）
図１は、管理システムの構成例を示すブロック図である。本実施形態の管理システムは、住居に居住（同居）する複数の管理対象者の健康状態をまとめて管理するシステムである。なお、複数の管理対象者は、例えば同じ住居で生活している家族、親戚、同居人等であり、以下では同じ世帯の管理対象者という。本実施形態の管理システムは、管理対象者の住居に設置されたエッジコンピュータ２０、管理システムを運営する事業者が管理するサーバ１０、管理対象者の健康状態の通知をサーバ１０から受信するユーザ端末４０等を含む。エッジコンピュータ２０、サーバ１０及びユーザ端末４０は、インターネット等のネットワークＮに接続可能であり、ネットワークＮを介して情報の送受信を行う。
【００１１】
管理対象者の住居には、例えば洗面所に脈波センサ（洗面所用脈波センサ）３１、表皮温度計（洗面所用表皮温度計）３２、体重計３３、身長計３４、マイク３５等が設けてあり、ダイニングルームに表皮温度計（ダイニング用表皮温度計）３６、カメラ３７等が設けてあり、寝室に脈波センサ（寝室用脈波センサ）３８が設けてある。これらの各機器３１〜３８が設置される部屋は上述した例に限定されず、各機器３１〜３８は上述した部屋以外の部屋に設置されてもよい。住居内の１箇所又は複数箇所に、１つ又は複数種類の機器が設置されていればよい。また住居に設置される機器は上述した各機器３１〜３８に限定されず、居住する管理対象者の生体データや行動データ、住居内の湿度や気圧、住居外の温度等の住環境に関するデータ、住居内に存在するウイルス、細菌、アレルゲン、花粉等の検知データ等、管理対象者に関する情報（対象者情報）をセンシングできる各種のセンシングデバイスを用いることができる。各部屋に設けられた各機器３１〜３８はエッジコンピュータ２０に接続されている。各機器３１〜３８とエッジコンピュータ２０とはケーブルを介して有線通信を行うように構成されていてもよいし、無線通信を行うように構成されていてもよい。
【００１２】
脈波センサ３１，３８は、管理対象者の脈波を検知するセンサであり、例えば脈動に伴う血管内の圧力変化（脈波）を圧電素子にて検知する圧電センサを用いることができる。また脈波センサ３１，３８は、可視光線を出射してその反射光又は透過光の変化量を計測することによって、脈動に伴う血流量の変化（脈波）を検知する構成でもよく、その他の方法を用いて脈波を検知する構成でもよい。洗面所用脈波センサ３１は、例えば洗面所の床又は床面に配置して使用されるマット等に設けられ、洗面所を使用する管理対象者が床面又はマット上に立ったときに、例えば足の裏にて脈波を検知する。寝室用脈波センサ３８は、例えば寝室に設置されたベッド等に設けられ、管理対象者がベッドに在床しているときに、例えば足、手又は首等にて脈波を検知する。なお、寝室用脈波センサ３８は、寝室の床に設けられ、寝室に入った管理対象者が床面に立ったときに、例えば足の裏にて脈波を検知する構成でもよい。脈波センサ３１，３８は、洗面所や寝室において管理対象者が意識することなく脈波の検知を行える位置に設置される。脈波センサ３１，３８は、管理対象者の脈波を検知した場合、検知した脈波信号（検知情報）をエッジコンピュータ２０へ出力する。なお、寝室には脈波センサ３８に加え、管理対象者の呼吸状態や体の動き等を検知するベッドセンサが設けられていてもよい。ベッドセンサは、例えばベッドの床とマットとの間に配置され、エアマット内の空気圧を検知することにより呼吸状態や体の動き等を検知する。ベッドセンサを用いることにより、管理対象者の睡眠中の状態を検知できる。
【００１３】
表皮温度計３２，３６は、管理対象者の表皮の温度を検知するセンサであり、例えば管理対象者の身体から放出される赤外線を計測し、計測した赤外線量を温度に変換して管理対象者の表皮温度を取得するサーモカメラを用いることができる。表皮温度計３２，３６は、その他の方法を用いて管理対象者の表皮温度を検知する構成でもよい。洗面所用表皮温度計３２は、例えば洗面所の鏡の裏又は洗面所の天井等に設けられ、洗面所内に管理対象者が居るときに管理対象者の表皮温度を検知する。ダイニング用表皮温度計３６は、例えばダイニングルームの天井等に設けられ、ダイニングルーム内に管理対象者が居るときに管理対象者の表皮温度を検知する。表皮温度計３２，３６は、洗面所やダイニングルームにおいて、管理対象者が意識することなく表皮温度の検知を行える位置に設置される。表皮温度計３２，３６は、管理対象者の表皮温度を検知した場合、検知した表皮温度（検知情報）をエッジコンピュータ２０へ出力する。
【００１４】
体重計３３は、管理対象者の体重及び体脂肪率を計測する計測器であり、例えば洗面所の床又は床面に配置して使用されるマット等に設けられる。体重計３３は、洗面所において管理対象者が意識することなく体重及び体脂肪率の計測を行える位置に設置される。体重計３３は、管理対象者の体重及び体脂肪率を計測した場合、計測した体重及び体脂肪率（検知情報）をエッジコンピュータ２０へ出力する。身長計３４は、管理対象者の身長を計測する計測器であり、例えば洗面所の天井に設けられ、洗面所の天井から超音波を出射してその反射光を計測することによって、管理対象者の身長を計測する。身長計３４は、洗面所において管理対象者が意識することなく身長の計測を行える位置に設置される。身長計３４は、管理対象者の身長を計測した場合、計測した身長（検知情報）をエッジコンピュータ２０へ出力する。
【００１５】
マイク３５は、増幅器及びＡ／Ｄ（アナログ／デジタル）変換器等を有する集音装置であり、管理対象者の発話音声を収集してアナログの音声データを取得し、取得した音声データを増幅器にて増幅し、Ａ／Ｄ変換器にてデジタルの音声データに変換し、音声データを取得する。マイク３５は、例えば洗面所の鏡の裏又は洗面所の天井や壁面等に設けられ、洗面所内に居る管理対象者の発話音声（音声データ）を取得する。なお、マイク３５は、洗面所において管理対象者が意識することなく発話音声を収集できる位置に設置される。マイク３５は、管理対象者の会話音声を取得した場合、取得した音声データ（検知情報）をエッジコンピュータ２０へ出力する。
【００１６】
カメラ３７は、レンズ及び撮像素子等を有する撮像装置であり、レンズを介して入射した光を撮像素子にて光電変換して画像データを取得する。カメラ３７は、例えばダイニングテーブル（食卓）の上部の天井等に設けられ、ダイニングテーブルに用意された管理対象者の食事の撮像画像（画像データ）を取得する。カメラ３７は、食事を行う管理対象者が意識することなく食事の撮像画像を取得できる位置に設置される。カメラ３７は、管理対象者の食事の撮影画像を取得した場合、取得した画像データ（検知情報）をエッジコンピュータ２０へ出力する。なお、カメラ３７の近傍にマイクを設け、マイクにて例えば「食事の写真を撮って」のような管理対象者の発話音声を取得した場合に、カメラ３７が食事の撮像画像を取得するように構成してもよい。
【００１７】
エッジコンピュータ２０は、例えばパーソナルコンピュータであり、上述したように管理対象者の住居に設けられた各機器３１〜３８から出力された検知結果に係る信号（検知情報）を取得する。エッジコンピュータ２０は、各機器３１〜３８から取得した検知情報を管理対象者毎に分類して蓄積する処理、各管理対象者の検知情報をサーバ１０へ送信する処理等、種々の情報処理を行う。エッジコンピュータ２０は複数設けられていてもよく、各機器３１〜３８から出力される検知情報に基づく処理を複数のエッジコンピュータ２０で分散処理してもよい。
【００１８】
サーバ１０は、サーバコンピュータ又はパーソナルコンピュータ等であり、複数台設けられてもよいし、１台のサーバ装置内に設けられた複数の仮想マシンによって実現されてもよいし、クラウドサーバを用いて実現されてもよい。サーバ１０は、各住居に設置されたエッジコンピュータ２０から管理対象者に関する検知情報を取得して蓄積する処理、蓄積された検知情報に基づいて管理対象者の健康状態を分析する処理、管理対象者の健康状態をユーザ端末４０に通知する処理等、種々の情報処理を行う。ユーザ端末４０は、スマートフォン、タブレット端末、パーソナルコンピュータ等である。ユーザ端末４０は、管理対象者が使用する端末（対象者の端末装置）であり、管理対象者の健康状態をサーバ１０から受信する処理、受信した健康状態を表示する処理等、種々の情報処理を行う。
【００１９】
図１は、一戸の住居に設置されたエッジコンピュータ２０がネットワークＮに接続されている例を示す。しかし、エッジコンピュータ２０及び各機器３１〜３８は、複数の住居に設置されており、それぞれの住居に設置された複数のエッジコンピュータ２０がネットワークＮに接続されている。
【００２０】
図２は、エッジコンピュータ２０の構成例を示すブロック図である。エッジコンピュータ２０は、制御部２１、記憶部２２、通信部２３、入力部２４、表示部２５、接続部２６等を含み、これらの各部はバスを介して相互に接続されている。制御部２１は、ＣＰＵ（Central Processing Unit）、ＭＰＵ（Micro-Processing Unit）又はＧＰＵ（Graphics Processing Unit）等の１又は複数のプロセッサを含む。制御部２１は、記憶部２２に記憶してある制御プログラム２２Ｐを適宜実行することにより、エッジコンピュータ２０が行うべき種々の情報処理、制御処理等を行う。
【００２１】
記憶部２２は、ＲＡＭ（Random Access Memory）、フラッシュメモリ、ハードディスク、ＳＳＤ（Solid State Drive）等を含む。記憶部２２は、制御部２１が実行する制御プログラム２２Ｐ及び制御プログラム２２Ｐの実行に必要な各種のデータ等を予め記憶している。また記憶部２２は、制御部２１が制御プログラム２２Ｐを実行する際に発生するデータ等を一時的に記憶する。更に記憶部２２には、後述する対象者ＤＢ（データベース）２２ａ及び検知情報ＤＢ２２ｂが記憶される。対象者ＤＢ２２ａ及び検知情報ＤＢ２２ｂは、エッジコンピュータ２０に接続された外部の記憶装置に記憶されてもよく、ネットワークＮを介してエッジコンピュータ２０と通信可能な記憶装置に記憶されてもよい。
【００２２】
通信部２３は、有線通信又は無線通信によってネットワークＮに接続するためのインタフェースであり、ネットワークＮを介して外部装置との間で情報の送受信を行う。入力部２４は、ユーザによる操作入力を受け付け、操作内容に対応した制御信号を制御部２１へ送出する。表示部２５は、液晶ディスプレイ又は有機ＥＬディスプレイ等であり、制御部２１からの指示に従って各種の情報を表示する。入力部２４及び表示部２５は一体として構成されたタッチパネルであってもよい。接続部２６は、住居内に設けられた各機器３１〜３８との間で有線通信又は無線通信を行うためのインタフェースであり、各機器３１〜３８から出力された信号（検知情報）を受信し、受信した信号を制御部２１へ送出する。
【００２３】
図３は、エッジコンピュータ２０に記憶されるＤＢ２２ａ，２２ｂの構成例を示す模式図である。図３Ａは対象者ＤＢ２２ａを、図３Ｂは検知情報ＤＢ２２ｂをそれぞれ示す。対象者ＤＢ２２ａは、エッジコンピュータ２０及び各機器３１〜３８が設置された住居に居住（同居）する管理対象者の情報を記憶している。図３Ａに示す対象者ＤＢ２２ａは、世帯ＩＤ列、対象者ＩＤ列、氏名列、年齢列、性別列、顔画像列等を含む。世帯ＩＤ列は、この住居に予め割り当てられた識別情報を記憶し、対象者ＩＤ列は、この住居に居住する各管理対象者に予め割り当てられた識別情報を記憶する。氏名列、年齢列、性別列はそれぞれ、各管理対象者の氏名、年齢、性別を記憶する。顔画像列は、各管理対象者の顔の撮像画像（画像データ）を記憶する。なお、顔の撮像画像は、対象者ＤＢ２２ａに記憶されるほかに、記憶部２２の所定領域又はエッジコンピュータ２０に接続された外部の記憶装置に記憶されてもよい。この場合、顔画像列は、顔の撮像画像（画像データ）を読み出すための情報（例えば画像データの記憶場所を示すファイル名）を記憶する。対象者ＤＢ２２ａに記憶される各情報は、入力部２４を介して追加、変更又は削除の指示を受け付ける都度、制御部２１によって追加、変更又は削除される。対象者ＤＢ２２ａの記憶内容は図３Ａに示す例に限定されない。例えば世帯ＩＤは、対象者ＤＢ２２ａに記憶されるほかに記憶部２２の所定領域に記憶されてもよい。また、各管理対象者の身長や体重のように各管理対象者を識別できるような情報を対象者ＤＢ２２ａに記憶してもよい。
【００２４】
検知情報ＤＢ２２ｂは、エッジコンピュータ２０が各機器３１〜３８から取得した検知情報を管理対象者毎に記憶している。図３Ｂに示す検知情報ＤＢ２２ｂは、対象者ＩＤ列及び検知情報列を含み、検知情報列は、脈波列、表皮温度列、体重列、体脂肪率列、身長列、発話音声列、食事画像列等を含む。対象者ＩＤ列は、各管理対象者の識別情報を記憶し、この識別情報は、対象者ＤＢ２２ａに登録されている各管理対象者の対象者ＩＤを用いる。脈波列、表皮温度列、体重列、体脂肪率列、身長列、発話音声列、食事画像列はそれぞれ、制御部２１が各機器３１〜３８から取得した各管理対象者の脈波、表皮温度、体重、体脂肪率、身長、発話音声、食事の撮像画像（検知情報）を記憶する。なお、これらの各検知情報は、各機器３１〜３８での検知日時や各機器３１〜３８からの受信日時と共に時系列的に記憶されている。また、例えば脈波は、脈波を示す波形データを記憶部２２の所定領域又はエッジコンピュータ２０に接続された外部の記憶装置に記憶してもよく、この場合、脈波列には、脈波を示す波形データを読み出すための情報（例えばデータの記憶場所を示すファイル名）を記憶してもよい。食事の撮像画像についても同様に、撮像画像（画像データ）を記憶部２２の所定領域又はエッジコンピュータ２０に接続された外部の記憶装置に記憶してもよい。検知情報ＤＢ２２ｂに記憶される各検知情報は、制御部２１が各機器３１〜３８から検知情報を取得し、取得した検知情報を管理対象者毎に分類する都度、制御部２１によって記憶される。検知情報ＤＢ２２ｂの記憶内容は図３Ｂに示す例に限定されない。
【００２５】
図４は、エッジコンピュータ２０の制御部２１によって実現される機能を示すブロック図である。エッジコンピュータ２０の制御部２１は、記憶部２２に記憶してある制御プログラム２２Ｐを実行した場合、検知情報取得部２０１、解析部２０２、検知情報送信部２０４の各機能を実現する。本実施形態では、これらの各機能を制御部２１が制御プログラム２２Ｐを実行することにより実現するが、これらの一部を専用のハードウェア回路で実現してもよい。
【００２６】
検知情報取得部２０１は、各機器３１〜３８から出力される検知情報を接続部２６を介して取得する。具体的には、検知情報取得部２０１は、脈波センサ３１，３８が検知した脈波信号、表皮温度計３２，３６が検知した表皮温度、体重計３３が計測した体重及び体脂肪率、身長計３４が計測した身長、マイク３５が取得した音声データ、カメラ３７が取得した画像データを取得する。なお、各機器３１〜３８はそれぞれの検知処理を定期的に（所定時間間隔で）行っており、検知結果に変化が生じた場合に、検知範囲内に管理対象者が入ったとして、検知結果を示す検知情報をエッジコンピュータ２０へ出力する。
【００２７】
例えば脈波センサ３１，３８は、脈波の検知処理を定期的に行い、脈波を検知できた場合に、検知した脈波信号をエッジコンピュータ２０へ出力する。表皮温度計３２，３６は、表皮温度の検知処理を定期的に行い、例えば所定値（例えば３５℃）以上の温度を検知した場合に、検知した表皮温度をエッジコンピュータ２０へ出力する。なお、表皮温度計３２，３６は、例えば所定値以上の温度の分布範囲が人の形状である場合に、検知した表皮温度をエッジコンピュータ２０へ出力してもよい。体重計３３は、体重及び体脂肪率の測定処理を定期的に行い、例えば体重の測定値が所定値（例えば５ｋｇ）以上変化した場合に、測定した体重及び体脂肪率をエッジコンピュータ２０へ出力する。身長計３４は、身長の測定処理を定期的に行い、例えば所定値（例えば８０ｃｍ）以上の身長を測定した場合や身長の測定値が所定値（例えば８０ｃｍ）以上変化した場合に、測定した身長をエッジコンピュータ２０へ出力する。マイク３５は、集音処理を行い、例えば人の声の周波数帯の音声データを取得した場合に、取得した音声データをエッジコンピュータ２０へ出力する。カメラ３７は、撮像処理を定期的に行い、例えば撮像画像に動体が含まれる場合に、撮像画像（画像データ）のエッジコンピュータ２０への出力を開始する。カメラ３７は、撮像画像に動体が含まれない場合に、撮像画像のエッジコンピュータ２０への出力を終了してもよい。
【００２８】
なお、各機器３１〜３８が検知結果をエッジコンピュータ２０へ出力するか否かの判断基準は、居住している管理対象者の状態に応じて変更可能である。例えば管理対象者が大人のみの場合、体重計３３は、体重の計測値が所定値（例えば３０ｋｇ）以上変化した場合に、検知した体重及び体脂肪率をエッジコンピュータ２０へ出力するようにしてもよい。また、各機器３１〜３８は定期的に行う検知処理の結果（検知情報）を逐次エッジコンピュータ２０へ出力し、エッジコンピュータ２０において、取得した検知情報が有効な検知情報（管理対象者に関する検知情報）であるか否かを判断してもよい。
【００２９】
解析部２０２は対象者識別部２０３を有する。検知情報取得部２０１がいずれかの機器３１〜３８から検知情報（管理対象者に関する検知情報）を取得した場合、解析部２０２において、対象者識別部２０３は、いずれの管理対象者に関する検知情報であるかを識別する。例えば管理対象者が洗面所に居る場合、検知情報取得部２０１は、洗面所に設けられた機器３１〜３５からの検知情報を取得する。このとき、対象者識別部２０３は、例えば体重計３３が測定した体重又は身長計３４が測定した身長に基づいて、いずれの管理対象者が検知されたかを判定する。具体的には、対象者識別部２０３は、検知情報ＤＢ２２ｂに記憶してある各管理対象者の体重又は身長を参照し、測定した体重又は身長がいずれの管理対象者の体重又は身長であるかを判定する。対象者識別部２０３は、測定した体重又は身長と同程度の体重又は身長の管理対象者を、洗面所に居る管理対象者に特定する。また、例えば各管理対象者の声紋情報を対象者ＤＢ２２ａに登録しておき、対象者識別部２０３が声紋認証機能を有することにより、マイク３５が取得した音声データに基づいて声紋認証によって管理対象者を特定してもよい。また、対象者識別部２０３が音声認識機能を有し、マイク３５が取得した音声データをテキストデータに変換し、テキストデータに含まれるキーワード（例えば管理対象者自身の氏名等、管理対象者を識別できるワード）に基づいて管理対象者を特定してもよい。なお、マイク３５にて管理対象者の発話音声を取得するために洗面所にスピーカ（音声出力装置）を設置し、洗面所に人が来たことを機器３１〜３４のいずれかで検知した場合に、スピーカにて「おはようございます」、「こんにちは」、「こんばんは」、「おかえりなさい」、「歯磨きしましたか」、「○○さんですか」等のメッセージを音声出力して、洗面所に来た管理対象者に発話を促すように構成してもよい。
【００３０】
また、例えばダイニングルームに設置されたダイニングテーブルの各席に予め各管理対象者を対応付けておくことにより、対象者識別部２０３は、ダイニング用表皮温度計３６が検知した表皮温度の検知場所に応じて管理対象者を特定できる。この場合、対象者識別部２０３は同様に、カメラ３７が取得した撮影画像中の撮影位置に応じて管理対象者を特定できる。また、複数のダイニング用表皮温度計３６をそれぞれダイニングテーブルの各席に対応して設けておくことにより、対象者識別部２０３は、表皮温度を出力してきたダイニング用表皮温度計３６に応じて管理対象者を特定できる。同様に複数のカメラ３７をそれぞれダイニングテーブルの各席に対応して設けた場合、対象者識別部２０３は、撮像画像を出力してきたカメラ３７に応じて管理対象者を特定できる。また、例えば管理対象者毎に寝室が異なる場合、対象者識別部２０３は、脈波信号を出力してきた寝室用脈波センサ３８に応じて管理対象者を特定できる。
【００３１】
更に、対象者を識別するために各部屋にカメラを設置し、各部屋のカメラで撮像した管理対象者の顔画像を、対象者ＤＢ２２ａに登録してある顔画像と照合することにより、各部屋に居る管理対象者を特定するようにしてもよい。また、各部屋にマイクを設置し、各部屋のマイクで取得した管理対象者の発話音声（音声データ）及び発話音声に含まれるキーワード等に基づいて管理対象者を特定するようにしてもよい。
【００３２】
検知情報取得部２０１が取得した検知情報に基づいて、対象者識別部２０３がいずれの管理対象者の情報であるかを識別した場合、解析部２０２は、識別された管理対象者の対象者ＩＤに対応付けて検知情報を検知情報ＤＢ２２ｂに記憶する。なお、解析部２０２は、検知情報取得部２０１が取得した検知情報をそのまま検知情報ＤＢ２２ｂに記憶するほかに、例えばマイク３５から取得した音声データから発話量や頻出する単語等を検出し、これらを検知情報ＤＢ２２ｂに記憶してもよい。また解析部２０２は、例えばカメラ３７から取得した撮像画像に基づいて、撮像された食事の品名、カロリー、栄養バランス等の栄養情報を検出し、これらを検知情報ＤＢ２２ｂに記憶してもよい。なお、撮像画像に基づいて撮像された食事の品名、カロリー、栄養バランス等を検出する処理は、このような処理を提供するクラウドサービス（クラウドサーバ）によって行ってもよい。この場合例えば、解析部２０２は、カメラ３７から取得した撮像画像を所定のクラウドサービスへ送信し、クラウドサービスから検出結果（食事の品名、カロリー、栄養バランス等）を取得し、検知情報ＤＢ２２ｂに記憶する。
【００３３】
検知情報送信部２０４は、解析部２０２が検知情報を検知情報ＤＢ２２ｂに記憶した場合に、記憶された検知情報を通信部２３からサーバ１０へ送信する。このとき検知情報送信部２０４は、管理対象者の世帯ＩＤ及び対象者ＩＤと共に検知情報を送信する。これにより、住居内に設置された各機器３１〜３８によって検知された管理対象者に関する検知情報がエッジコンピュータ２０を介してサーバ１０へ送信される。
【００３４】
図５は、サーバ１０の構成例を示すブロック図である。サーバ１０は、制御部１１、記憶部１２、通信部１３、入力部１４、表示部１５、読み取り部１６等を含み、これらの各部はバスを介して相互に接続されている。制御部１１は、ＣＰＵ、ＭＰＵ又はＧＰＵ等の１又は複数のプロセッサを含む。制御部１１は、記憶部１２に記憶してある制御プログラム１２Ｐを適宜実行することにより、本開示の情報処理装置が行うべき種々の情報処理、制御処理等をサーバ１０に行わせる。
【００３５】
記憶部１２は、ＲＡＭ、フラッシュメモリ、ハードディスク、ＳＳＤ等を含む。記憶部１２は、制御部１１が実行する制御プログラム１２Ｐ及び制御プログラム１２Ｐの実行に必要な各種のデータ等を予め記憶している。また記憶部１２は、制御部１１が制御プログラム１２Ｐを実行する際に発生するデータ等を一時的に記憶する。更に記憶部１２には、後述する対象者ＤＢ１２ａ、検知情報ＤＢ１２ｂ及び健康情報ＤＢ１２ｃが記憶される。なお、サーバ１０はウェブサーバとしての機能を有しており、管理対象者の健康状態の通知要求を受け付けるためのウェブサイト、管理対象者の健康状態を管理対象者に通知（提供）するためのウェブサイト等も記憶部１２に記憶してある。対象者ＤＢ１２ａ、検知情報ＤＢ１２ｂ及び健康情報ＤＢ１２ｃは、サーバ１０に接続された外部の記憶装置に記憶されてもよく、ネットワークＮを介してサーバ１０と通信可能な記憶装置に記憶されてもよい。
【００３６】
通信部１３は、有線通信又は無線通信によってネットワークＮに接続するためのインタフェースであり、ネットワークＮを介して外部装置との間で情報の送受信を行う。入力部１４は、マウス及びキーボード等を含み、ユーザによる操作入力を受け付け、操作内容に対応した制御信号を制御部１１へ送出する。表示部１５は、液晶ディスプレイ又は有機ＥＬディスプレイ等であり、制御部１１からの指示に従って各種の情報を表示する。
【００３７】
読み取り部１６は、ＣＤ（Compact Disc）−ＲＯＭ、ＤＶＤ（Digital Versatile Disc）−ＲＯＭ又はＵＳＢ（Universal Serial Bus）メモリを含む可搬型記憶媒体１ａに記憶された情報を読み取る。記憶部１２に予め記憶される制御プログラム及びデータは、制御部１１が読み取り部１６を介して可搬型記憶媒体１ａから読み取って記憶部１２に記憶してもよい。また、記憶部１２に予め記憶される制御プログラム及びデータは、制御部１１が通信部１３を介してネットワークＮ経由で外部装置からダウンロードして記憶部１２に記憶してもよい。更に、半導体メモリ１ｂから、制御部１１が制御プログラム及びデータを読み出してもよい。
【００３８】
図６は、サーバ１０に記憶されるＤＢ１２ａ〜１２ｃの構成例を示す模式図である。図６Ａは対象者ＤＢ１２ａを、図６Ｂは検知情報ＤＢ１２ｂ、図６Ｃは健康情報ＤＢ１２ｃをそれぞれ示す。対象者ＤＢ１２ａは、管理システムを利用するためにユーザ登録した管理対象者の属性情報を記憶している。図６Ａに示す対象者ＤＢ１２ａは、エッジコンピュータ２０に記憶してある対象者ＤＢ２２ａと同様の構成を有する。なお、世帯ＩＤ列は、各住居に予め割り当てられた識別情報を記憶し、対象者ＩＤ列は、各住居に居住する各管理対象者に予め割り当てられた識別情報を記憶する。対象者ＤＢ１２ａに記憶される各情報は、通信部１３又は入力部１４を介して追加、変更又は削除の指示を取得する都度、制御部１１によって追加、変更又は削除される。対象者ＤＢ１２ａの記憶内容は図６Ａに示す例に限定されず、管理対象者に関する各種の属性情報が記憶される。
【００３９】
検知情報ＤＢ１２ｂは、サーバ１０が各エッジコンピュータ２０から取得した各管理対象者に関する検知情報を記憶している。図６Ｂに示す検知情報ＤＢ１２ｂは、エッジコンピュータ２０に記憶してある検知情報ＤＢ２２ｂと同様の構成を有し、更に世帯ＩＤ列を有する。世帯ＩＤ列及び対象者ＩＤ列は、対象者ＤＢ１２ａに登録されている各管理対象者の世帯ＩＤ及び対象者ＩＤを記憶する。検知情報ＤＢ１２ｂに記憶される各検知情報は、通信部１３を介して各エッジコンピュータ２０から取得する都度、制御部１１によって追加される。検知情報ＤＢ１２ｂの記憶内容は図６Ｂに示す例に限定されない。なお、検知情報ＤＢ（対象者情報記憶部）１２ｂにおいて、各検知情報は、各機器３１〜３８による検知日時や各機器３１〜３８からエッジコンピュータ２０が検知情報を受信した日時に対応付けて記憶されている。
【００４０】
健康情報ＤＢ１２ｃは、各管理対象者に関する検知情報に基づいて判定した各管理対象者の健康状態を示す健康情報を記憶している。図６Ｃに示す健康情報ＤＢ１２ｃは、世帯ＩＤ列、対象者ＩＤ列及び健康情報列を含み、健康情報列は、ストレス列、体調列、体型列、睡眠列、食事列等を含む。世帯ＩＤ列及び対象者ＩＤ列は、対象者ＤＢ１２ａに登録されている各管理対象者の世帯ＩＤ及び対象者ＩＤを記憶する。ストレス列、体調列、体型列、睡眠列、食事列はそれぞれ、制御部１１が各管理対象者の検知情報に基づいて判定した各管理対象者のストレス状態、体調、体型、睡眠状態、食事状態ついての評価値を記憶する。なお、これらの各健康情報は、判定日時と共に時系列的に記憶されてもよい。健康情報ＤＢ１２ｃに記憶される各健康情報は、制御部１１が各管理対象者の検知情報に基づいて各管理対象者の健康状態を判定する都度、制御部１１によって記憶される。なお、制御部１１が各管理対象者の健康状態を判定する処理は、定期的に行われてもよいし、検知情報ＤＢ１２ｂが更新される都度行われてもよい。健康情報ＤＢ１２ｃの記憶内容は図６Ｃに示す例に限定されない。
【００４１】
図７は、サーバ１０の制御部１１によって実現される機能を示すブロック図、図８及び図９は画面例を示す模式図である。サーバ１０の制御部１１は、記憶部１２に記憶してある制御プログラム１２Ｐを実行した場合、検知情報取得部１０１、分析部１０２、画面生成部１０３、画面送信部１０４の各機能を実現する。これらの各機能も一部を専用のハードウェア回路で実現してもよい。
【００４２】
検知情報取得部（取得部）１０１は、エッジコンピュータ２０（検知情報送信部２０４）から送信された世帯ＩＤ、対象者ＩＤ及び検知情報を通信部１３を介して取得する。そして検知情報取得部１０１は、取得した世帯ＩＤ及び対象者ＩＤに対応付けて、取得した検知情報を検知情報ＤＢ１２ｂに記憶する。これにより、エッジコンピュータ２０の検知情報ＤＢ２２ｂに記憶された管理対象者の検知情報が、サーバ１０の検知情報ＤＢ１２ｂに記憶される。なお、検知情報取得部（識別部）１０１は、検知情報を世帯ＩＤ及び対象者ＩＤと共にエッジコンピュータ２０から取得するので、取得した世帯ＩＤ及び対象者ＩＤによって、いずれかの管理対象者の検知情報を取得したかを識別できる。
【００４３】
分析部（判定部）１０２は、検知情報取得部１０１が検知情報ＤＢ１２ｂに記憶した検知情報をそれぞれの管理対象者の属性に応じて分析し、それぞれの管理対象者の健康状態を判定する。例えば分析部１０２は、検知情報ＤＢ１２ｂに記憶した脈波、表皮温度、体重、体脂肪率、身長、発話音声、食事画像等に基づいて、管理対象者のストレス、体調、体型、睡眠、食事等に関する状態を総合的に判定する。なお、分析部１０２は、判定結果として、管理対象者のストレス、体調、体型、睡眠、食事等に関する状態をそれぞれ示す数値（スコア、健康情報）を取得（算出）する。例えば分析部１０２は、脈波（脈波信号）に基づいて交感神経及び副交感神経（自律神経）のバランスを検出し、発話音声に基づいて発話量や元気良さ等を検出し、これらの情報から管理対象者のストレスの程度を判定する。なお、分析部１０２は、例えばストレスの程度が大きいほど大きい値となり１００点満点でストレスの程度を表す数値を取得する。
【００４４】
また分析部１０２は、表皮温度や発話音声に基づく発話量に基づいて管理対象者の体調を判定し、例えば体調が良いほど大きい値となり１００点満点で体調の良否を表す数値を取得する。なお、検知情報ＤＢ１２ｂには各管理対象者の表皮温度が時系列で記憶されているので、分析部１０２は、各管理対象者の平熱を算出することができ、平熱と現在の表皮温度との差異に基づいて体調を判定できる。また分析部１０２は、体重、体脂肪率及び身長に基づいて管理対象者の体型を判定し、例えば管理対象者の年齢や身長に対する標準体重との差異が小さいほど、又は標準的な体脂肪率との差異が小さいほど大きい値となり１００点満点で体型の適否を表す数値を取得する。また分析部１０２は、脈波に基づく自律神経のバランスや表皮温度に基づいて睡眠の状態を判定し、例えば良質な睡眠ほど大きい値となり１００点満点で睡眠の質を表す数値を取得する。更に分析部１０２は、食事画像に基づいて食事の品名、カロリー、栄養バランス等の栄養情報を判定し、例えば管理対象者の年齢や体型に適した摂取カロリーや栄養バランスとの差異が小さいほど大きい値となり１００点満点で食事の内容の適否を表す数値を取得する。分析部１０２は、上述したように管理対象者の健康状態に関する種々の項目について判定し、判定結果を示す数値（指標値）を健康情報ＤＢ１２ｃに記憶する。なお、各管理対象者の検知情報に基づいて各管理対象者の健康状態を判定する処理は、このような処理を提供するクラウドサービス（クラウドサーバ）によって行ってもよい。この場合例えば、分析部１０２は、管理対象者の検知情報を所定のクラウドサービスへ送信し、クラウドサービスから判定結果（健康状態を示すスコア）を取得し、健康情報ＤＢ１２ｃに記憶する。特に、脈波信号に基づいて交感神経及び副交感神経のバランスを検出する処理や、発話音声に基づいて発話量や元気良さ等を検出する処理を、クラウドサービスを利用して行った場合、サーバ１０による処理負担を軽減できる。
【００４５】
なお、各エッジコンピュータ２０がサーバ１０へ、発話音声の代わりに発話音声から検出した発話量や頻出する単語等を送信する場合、分析部１０２は、検知情報ＤＢ１２ｂに記憶された発話量や頻出する単語等を、管理対象者の健康状態の判定処理に用いることができる。また各エッジコンピュータ２０がサーバ１０へ、食事画像の代わりに食事画像から検出した食事の品名、カロリー、栄養バランス等の栄養情報を送信する場合、分析部１０２は、検知情報ＤＢ１２ｂに記憶された食事の品名、カロリー、栄養バランス等を、管理対象者の健康状態の判定処理に用いることができる。また分析部１０２は、管理対象者の属性に応じて判定内容を変更してもよい。例えば分析部１０２は、管理対象者が所定年齢（１５歳又は２０歳）以下であるか否かを判定し、所定年齢以下の場合、体型の代わりに発育度（発育度合）を判定してもよい。この場合、分析部１０２は、例えば管理対象者の身長及び体重と、管理対象者の年齢に対する標準身長及び標準体重との差異が小さいほど大きい値となり１００点満点で発育度を表す数値を取得する。また分析部１０２は、管理対象者の属性に応じて判定基準を変更してもよい。例えば表皮温度に基づいて管理対象者の体調を判定する場合、分析部１０２は、１５歳以下や２０歳未満の管理対象者に対して、２０歳以上の管理対象者と比較して、体調の良し悪しを判定する際の基準を下げてもよい。また分析部１０２は、１５歳以下や２０歳未満の管理対象者については、脈波等に基づいて睡眠時間を計測し、睡眠の質と共に睡眠時間に基づいて睡眠の状態を判定してもよい。更に分析部１０２は、管理対象者の年齢、性別、身長、体重等に応じた標準的な基準と比較して管理対象者の健康状態を判定するだけでなく、管理対象者の時系列的な変化に基づいて健康状態又は正常でない状態を判定してもよい。この場合、管理対象者毎に過去のデータに基づく判定基準を設定することができ、管理対象者毎の判定基準に基づいて健康状態又は正常でない状態を判定できる。また、管理対象者毎の過去のデータに基づいて、管理対象者毎に日々の変動や週毎の変動を抽出することができ、これらの変動に基づいて健康状態又は正常でない状態を判定できる。更に、管理対象者毎に月毎の変動、半年毎の変動、１年毎の変動を抽出することもでき、これらの変動に基づいて管理対象者毎に中長期的な変化から健康状態を判定できる。
【００４６】
画面生成部１０３は、健康情報ＤＢ１２ｃに記憶された健康情報に基づいて、１つの世帯（同じ世帯）の管理対象者の健康状態を表示するための画面情報（表示情報）を生成する。画面生成部１０３は、例えばサーバ１０の制御部１１がネットワークＮを介してユーザ端末４０から健康情報の通知要求を取得した場合に、このユーザ（管理対象者）と同じ世帯の管理対象者の健康状態を表示するための画面情報を生成する。具体的には、画面生成部１０３は、健康情報を要求してきた管理対象者と同じ世帯の管理対象者の氏名、年齢及び顔画像を対象者ＤＢ１２ａから読み出し、これらの管理対象者の健康情報を健康情報ＤＢ１２ｃから読み出す。画面生成部１０３は、ＤＢ１２ａ，１２ｃから読み出した各情報に基づいて、図８に示すように同じ世帯の管理対象者のそれぞれの健康状態を一覧表示する一覧画面を生成する。図８に示す一覧画面は、同じ世帯の全ての管理対象者について、それぞれの管理対象者の氏名、年齢及び顔画像を表示する。また図８に示す一覧画面は、各管理対象者の健康状態としてストレス、体調、体型又は発育度、睡眠、食事のそれぞれに関するスコア（指標値）を表示する。また画面生成部１０３は、健康情報ＤＢ１２ｃから読み出した各管理対象者の健康情報に対する総合評価を例えば５段階で行い、判定した総合評価を各管理対象者の健康状態の表示領域に表示する。図８に示す例では、「佐藤花子」に対する総合評価は５段階の内で１番良い「絶好調」であり、「佐藤桃子」に対する総合評価は５段階の内で４番目の「不調」である。なお、画面生成部１０３は、例えば各管理対象者の健康状態を示すストレス、体調、体型・発育度、睡眠、食事のそれぞれのスコアに重み係数を加味して重み付け平均値を算出し、算出した重み付け平均値を５段階で評価することにより総合評価を行ってもよい。図８に示す画面では、「佐藤花子」及び「佐藤桃子」に関する健康状態を表示しているが、一覧画面には、この２人と同世帯の「佐藤太郎」及び「佐藤次郎」に関する健康状態も表示されている。例えば図８に示す画面において上下方向にスクロール操作を行うことにより、全ての管理対象者の健康情報を視認できるように構成されている。
【００４７】
画面送信部（出力部）１０４は、画面生成部１０３が生成した画面情報を通信部１３から、健康情報を要求してきた管理対象者のユーザ端末４０へ送信する。ユーザ端末４０は、画面送信部１０４が送信した画面情報を受信し、受信した画面情報に基づいて図８に示すような一覧画面を表示部４５（図１０参照）に表示する。なお、画面生成部１０３及び画面送信部１０４は、ネットワークＮを介してユーザ端末４０から健康情報の通知要求を取得した場合に画面情報を生成してユーザ端末４０へ送信する構成に限定されない。例えば、画面生成部１０３及び画面送信部１０４は、定期的に、又は分析部１０２が管理対象者の健康情報を健康情報ＤＢ１２ｃに記憶した場合に、画面情報を生成して対応する管理対象者のユーザ端末４０へ送信してもよい。この場合、各管理対象者のユーザ端末４０の宛先情報は対象者ＤＢ１２ａに記憶しておく。
【００４８】
図８に示す一覧画面において、各管理対象者の健康情報の表示領域に「もっと見る」ボタンが表示されている。「もっと見る」ボタンは、一覧画面に表示された各管理対象者の詳細な健康情報を見たい場合に操作する操作ボタンである。一覧画面を表示するユーザ端末４０において、いずれかの管理対象者に対する「もっと見る」ボタンが操作された場合に、ユーザ端末４０は、「もっと見る」ボタンが操作されて選択された管理対象者の詳細な健康情報の通知要求をサーバ１０に送信する。これにより、サーバ１０の制御部（受付部）１１は、ユーザ端末４０から送信された詳細な健康情報の通知要求を取得する。そして、画面生成部１０３は、ユーザ端末４０において「もっと見る」ボタンが操作されて選択された管理対象者の健康情報及び検知情報に基づいて、この管理対象者の健康状態の詳細を表示するための画面情報を生成する。ここでは、画面生成部１０３は、選択された管理対象者の氏名、年齢及び顔画像を対象者ＤＢ１２ａから読み出し、この管理対象者の検知情報を検知情報ＤＢ１２ｂから読み出し、この管理対象者の健康情報を健康情報ＤＢ１２ｃから読み出す。画面生成部１０３は、ＤＢ１２ａ〜１２ｃから読み出した各情報に基づいて、図９に示すように、選択された管理対象者の詳細な健康状態を表示する詳細画面を生成する。図９に示す詳細画面は、１人の管理対象者について氏名、年齢、顔画像、一覧画面で表示した総合評価を表示する。また図９に示す詳細画面は、この管理対象者の健康情報として体調、体型又は発育度に関するスコアを表示し、この管理対象者の検知情報として体温（表皮温度）、身長、体重、体脂肪率を時系列的に示すグラフを表示する。なお、管理対象者の健康情報としてストレス、睡眠、食事に関するスコアも詳細画面に表示されており、管理対象者の検知情報として脈波、発話音声又は発話量、食事画像又は摂取カロリー等も詳細画面に表示されている。例えば図９に示す画面において上下方向にスクロール操作を行うことにより、健康情報及び検知情報を視認できるように構成されている。
【００４９】
画面生成部１０３が詳細画面の画面情報を生成した場合も、画面送信部１０４は、画面生成部１０３が生成した画面情報を通信部１３から、詳細画面を要求してきた管理対象者のユーザ端末４０へ送信する。これにより、ユーザ端末４０は、画面送信部１０４が送信した画面情報に基づいて、図９に示すような詳細画面を表示部４５に表示する。ここでも、画面生成部１０３及び画面送信部１０４は、定期的に、又は分析部１０２が管理対象者の健康情報を健康情報ＤＢ１２ｃに記憶した場合に、詳細画面を表示するための画面情報を生成して対応する管理対象者のユーザ端末４０へ送信してもよい。なお、管理対象者の検知情報に含まれる各情報に対して、他の管理対象者（他の家族）に公開するか否かを設定できるように構成されてもよい。この場合例えば、エッジコンピュータ２０及びサーバ１０の検知情報ＤＢ２２ｂ，１２ｂは、検知情報に含まれる各情報に対応して、公開／非公開を示す情報を記憶するように構成される。それぞれの管理対象者は例えば所定の登録画面を介して自身の検知情報の各情報に対して公開対象とすべきか非公開とすべきかの設定情報の入力を行う。エッジコンピュータ２０の制御部２１は、登録画面を介して入力された設定情報を入力部２４又は通信部２３を介して取得した場合に、取得した設定情報を検知情報に含まれる各情報に対応付けて検知情報ＤＢ２２ｂに記憶する。なお、エッジコンピュータ２０は、検知情報をサーバ１０へ送信する際に、検知情報に含まれる各情報に対する設定情報もサーバ１０へ送信し、サーバ１０の制御部１１は、取得した検知情報の各情報に対応付けて設定情報を検知情報ＤＢ１２ｂに記憶する。これにより、管理対象者の検知情報の各情報に対して公開／非公開が設定される。画面生成部１０３は、詳細画面を生成する場合、選択された管理対象者の検知情報のうちで、公開対象に設定されている検知情報のみを検知情報ＤＢ１２ｂから読み出し、読み出した検知情報（公開対象の情報）を用いて詳細画面を生成する。これにより、他の管理対象者に知られたくない検知情報を知られることなく、その他の検知情報に基づく健康状態を他の管理対象者に通知できる。
【００５０】
図１０は、ユーザ端末４０の構成例を示すブロック図である。ユーザ端末４０は、制御部４１、記憶部４２、通信部４３、入力部４４、表示部４５等を含み、これらの各部はバスを介して相互に接続されている。制御部４１は、ＣＰＵ、ＭＰＵ又はＧＰＵ等の１又は複数のプロセッサを含む。制御部４１は、記憶部４２に記憶してある制御プログラム４２Ｐを適宜実行することにより、ユーザ端末４０が行うべき種々の情報処理、制御処理等を行う。
【００５１】
記憶部４２は、ＲＡＭ、フラッシュメモリ、ハードディスク、ＳＳＤ等を含む。記憶部４２は、制御部４１が実行する制御プログラム４２Ｐ及び制御プログラム４２Ｐの実行に必要な各種のデータ等を予め記憶している。また記憶部４２は、制御部４１が制御プログラム４２Ｐを実行する際に発生するデータ等を一時的に記憶する。更に記憶部４２には、ウェブサイトを閲覧するためのウェブブラウザ４２ａ及びサーバ１０から健康情報を取得するための健康管理アプリ（アプリケーションプログラム）４２ｂが記憶されている。
【００５２】
通信部４３は、有線通信又は無線通信によってネットワークＮに接続するためのインタフェースであり、ネットワークＮを介して外部装置との間で情報の送受信を行う。入力部４４は、ユーザによる操作入力を受け付け、操作内容に対応した制御信号を制御部４１へ送出する。表示部４５は、液晶ディスプレイ又は有機ＥＬディスプレイ等であり、制御部４１からの指示に従って各種の情報を表示する。入力部４４及び表示部４５は一体として構成されたタッチパネルであってもよい。
【００５３】
上述した構成のユーザ端末４０において、制御部４１は、健康管理アプリ４２ｂを実行した場合、ユーザ端末４０のユーザ（管理対象者）と同世帯の管理対象者の健康情報の通知をサーバ１０に要求する。なお、健康管理アプリ４２ｂは、この管理対象者の世帯ＩＤを記憶しており、制御部４１は、健康管理アプリ４２ｂを実行した場合、この世帯ＩＤと同世帯の管理対象者の健康情報の通知要求をサーバ１０へ送信する。サーバ１０は、ユーザ端末４０から健康情報の通知要求を受信した場合に、この管理対象者と同じ世帯の管理対象者の健康状態を一覧表示するための画面情報を生成してユーザ端末４０へ送信する。ユーザ端末４０の制御部４１は、サーバ１０から受信した画面情報に基づいて、図８に示すような一覧画面を表示部４５に表示する。図８に示すように一覧画面では、各管理対象者の健康状態に関する各項目がそれぞれの良否を表すスコア（指標値）で表示されている。よって、各管理対象者の健康状態がシンプルな指標値で表されるので、各管理対象者の健康状態を一目で把握できる。
【００５４】
なお、図８に示す一覧画面において「もっと見る」ボタンが入力部４４を介して操作された場合、制御部４１は、操作された「もっと見る」ボタンに対応する管理対象者に対する選択を受け付ける。そして制御部４１は、選択された管理対象者の詳細な健康情報の通知要求をサーバ１０に要求する。サーバ１０は、ユーザ端末４０から詳細な健康情報の通知要求を受信した場合、この管理対象者の詳細な健康状態を表示するための画面情報を生成してユーザ端末４０へ送信する。ユーザ端末４０の制御部４１は、サーバ１０から受信した画面情報に基づいて、図９に示すような詳細画面を表示部４５に表示する。これにより、詳細な健康状態を確認する必要がある管理対象者については、詳細画面によって健康状態を詳細に把握できる。
【００５５】
以下に、上述した構成の管理システムにおいて、各装置が行う処理について説明する。図１１は、エッジコンピュータ２０による検知情報の蓄積処理の手順を示すフローチャートである。以下の処理は、エッジコンピュータ２０の記憶部２２に記憶してある制御プログラム２２Ｐに従って制御部２１によって実行される。
【００５６】
エッジコンピュータ２０の制御部２１は、住居に設けられた各機器３１〜３８のいずれかから出力される検知情報を接続部２６により取得したか否かを判断している（Ｓ１１）。制御部２１は、検知情報を取得していないと判断した場合（Ｓ１１：ＮＯ）、取得するまで待機する。制御部２１は、検知情報を取得したと判断した場合（Ｓ１１：ＹＥＳ）、取得した検知情報に基づいて、この検知情報がいずれの管理対象者の情報であるかを識別する（Ｓ１２）。制御部２１は、いずれの管理対象者の検知情報であるかを識別できた場合、特定した管理対象者の対象者ＩＤに対応付けて、取得した検知情報を検知情報ＤＢ２２ｂに記憶（蓄積）する（Ｓ１３）。
【００５７】
なお、制御部２１は、取得した検知情報をそのまま検知情報ＤＢ２２ｂに記憶してもよいし、取得した検知情報に基づいて管理対象者の状態を解析して解析結果を検知情報ＤＢ２２ｂに記憶してもよい。例えば、制御部２１は、マイク３５から取得した音声データに基づいて、管理対象者の発話量や頻出する単語等を検出し、検出結果を検知情報ＤＢ２２ｂに記憶してもよい。また制御部２１は、カメラ３７から取得した撮像画像に基づいて、管理対象者の食事の品名、カロリー、栄養バランス等を検出し、検出結果を検知情報ＤＢ２２ｂに記憶してもよい。
【００５８】
制御部２１は、検知情報ＤＢ２２ｂに記憶した検知情報を、この管理対象者の世帯ＩＤ及び対象者ＩＤと共に通信部２３からサーバ１０へ送信し（Ｓ１４）、処理を終了する。制御部２１は、いずれかの機器３１〜３８から検知情報を取得する都度、ステップＳ１２〜Ｓ１４の処理を繰り返す。これにより、住居に設置された各機器３１〜３８によって検知された管理対象者に関する検知情報がエッジコンピュータ２０に蓄積されると共にサーバ１０へ送信される。
【００５９】
図１２は、サーバ１０による健康情報の蓄積処理の手順を示すフローチャートである。以下の処理は、サーバ１０の記憶部１２に記憶してある制御プログラム１２Ｐに従って制御部１１によって実行される。
【００６０】
サーバ１０の制御部１１は、エッジコンピュータ２０のいずれかから出力される管理対象者の検知情報を通信部１３により取得したか否かを判断しており（Ｓ２１）、取得していないと判断した場合（Ｓ２１：ＮＯ）、取得するまで待機する。制御部１１は、検知情報を取得したと判断した場合（Ｓ２１：ＹＥＳ）、検知情報と共に取得した世帯ＩＤ及び対象者ＩＤに対応付けて、取得した検知情報を検知情報ＤＢ１２ｂに記憶する（Ｓ２２）。これにより、エッジコンピュータ２０の検知情報ＤＢ２２ｂに記憶された管理対象者の検知情報が、サーバ１０の検知情報ＤＢ１２ｂにも記憶（蓄積）される。
【００６１】
制御部１１は、検知情報ＤＢ１２ｂに記憶した検知情報に基づいて、この管理対象者の健康状態を判定する（Ｓ２３）。制御部１１は例えば、検知情報ＤＢ１２ｂに記憶した検知情報に基づいて、管理対象者のストレス、体調、体型、睡眠、食事に関する状態を判定し、判定結果として、それぞれの状態を示すスコア（健康情報）を取得する。そして制御部１１は、取得した管理対象者の健康情報（ストレス、体調、体型、睡眠、食事に関する状態を示すスコア）を、この管理対象者の世帯ＩＤ及び対象者ＩＤに対応付けて健康情報ＤＢ１２ｃに記憶（蓄積）し（Ｓ２４）、処理を終了する。制御部１１は、いずれかのエッジコンピュータ２０からいずれかの管理対象者の検知情報を取得する都度、ステップＳ２２〜Ｓ２４の処理を繰り返す。これにより、それぞれの住居に設置された各機器３１〜３８によって検知された管理対象者に関する検知情報がエッジコンピュータ２０を介してサーバ１０へ送信され、サーバ１０にて蓄積される。またサーバ１０は、蓄積される検知情報に基づいて各管理対象者の健康状態を判定し、判定結果（健康情報）がサーバ１０にて蓄積される。
【００６２】
図１３は、サーバ１０による健康情報の提供処理の手順を示すフローチャートである。以下の処理は、ユーザ端末４０の記憶部４２に記憶してあるプログラム４２Ｐ，４２ａ，４２ｂに従って制御部４１によって実行されると共に、サーバ１０の記憶部１２に記憶してある制御プログラム１２Ｐに従って制御部１１によって実行される。
【００６３】
ユーザ端末４０の制御部４１は、例えば入力部４４を介して健康管理アプリ４２ｂの実行指示を受け付けた場合、健康管理アプリ４２ｂを起動する（Ｓ３１）。健康管理アプリ４２ｂを起動した制御部４１は、健康管理アプリ４２ｂに記憶してある世帯ＩＤに基づいて、ユーザ端末４０のユーザ（管理対象者）と同世帯の管理対象者の健康情報の通知要求をサーバ１０に送信する（Ｓ３２）。サーバ１０の制御部１１は、いずれかのユーザ端末４０から健康情報の通知要求を受信した場合、受信した世帯ＩＤに基づいて、この世帯の全管理対象者の健康情報を健康情報ＤＢ１２ｃから読み出す（Ｓ３３）。なお、このとき、制御部１１は、この世帯の全管理対象者の氏名、年齢及び顔画像を対象者ＤＢ１２ａから読み出す。
【００６４】
制御部１１は、ＤＢ１２ａ，１２ｃから読み出した各情報に基づいて、図８に示すように、この世帯の全管理対象者の健康情報（健康状態）を一覧表示する一覧画面を生成する（Ｓ３４）。制御部１１は、生成した一覧画面を表示するための画面情報を、健康情報を要求してきたユーザ端末４０へ送信する（Ｓ３５）。ユーザ端末４０の制御部４１は、サーバ１０が送信した画面情報を受信し、受信した画面情報に基づいて図８に示すような一覧画面を表示部４５に表示する（Ｓ３６）。
【００６５】
制御部４１は、表示中の一覧画面において「もっと見る」ボタンが入力部４４を介して操作されたか否かに応じて、いずれかの管理対象者に対する詳細な健康情報の要求を受け付けたか否かを判断する（Ｓ３７）。詳細な健康情報の要求を受け付けたと判断した場合（Ｓ３７：ＹＥＳ）、制御部４１は、一覧画面を介して選択された管理対象者の対象者ＩＤに基づいて、この管理対象者の詳細な健康情報（詳細情報）の通知要求をサーバ１０に送信する（Ｓ３８）。サーバ１０の制御部１１は、ユーザ端末４０から詳細な健康情報の通知要求を受信した場合、受信した対象者ＩＤに基づいて、この管理対象者の検知情報及び健康情報（詳細情報）を検知情報ＤＢ１２ｂ及び健康情報ＤＢ１２ｃからそれぞれ読み出す（Ｓ３９）。なお、このとき、制御部１１は、この管理対象者の氏名、年齢及び顔画像を対象者ＤＢ１２ａから読み出す。
【００６６】
制御部１１は、ＤＢ１２ａ〜１２ｃから読み出した各情報に基づいて、図９に示すように、この管理対象者の詳細な健康情報（健康状態）を表示する詳細画面を生成する（Ｓ４０）。制御部１１は、生成した詳細画面を表示するための画面情報を、詳細な健康情報を要求してきたユーザ端末４０へ送信する（Ｓ４１）。ユーザ端末４０の制御部４１は、サーバ１０が送信した画面情報を受信し、受信した画面情報に基づいて図９に示すような詳細画面を表示部４５に表示する（Ｓ４２）。なお、ステップＳ３７で詳細な健康情報の要求を受け付けていないと判断した場合（Ｓ３７：ＮＯ）、制御部４１は処理を終了する。
【００６７】
上述した処理により、サーバ１０は、ユーザ端末４０からの要求に応じて、同じ世帯の全管理対象者に関する健康情報を一覧表示する一覧画面をユーザ端末４０に提供できる。また、サーバ１０は、ユーザ端末４０からの要求に応じて、いずれかの管理対象者に関する詳細な健康情報を表示する詳細画面をユーザ端末４０に提供できる。これにより、例えば家族の代表者（例えば父親又は母親）が自身のユーザ端末４０を用いてサーバ１０にアクセスすることにより、全家族の健康情報（健康状態）をまとめて把握することができる。よって、家族の代表者が定期的に全家族の健康状態を確認することにより、例えば子供の細かな体調変化、発育状態、不足しがちな栄養成分等を早期に発見することができる。従って、子供が自身の不調に気付かなかったり気付くのが遅かったり、自身の不調をうまく伝えられない場合であっても、子供の不調に早期に気付くことが可能であり、子供の不調を見逃す可能性を低減できる。
【００６８】
また家族の内の複数の代表者（例えば父親及び母親）が定期的に全家族の健康状態を確認する場合、子供の健康状態や発育状態を把握できるだけでなく、夫婦間（大人同士）においても互いの健康状態やストレス度合を把握する（見守る）ことができる。よって、例えば父親や母親が子供の体調不良を早期に把握して子供を医療機関に連れて行くだけでなく、例えば夫の健康状態が良くない場合に妻が夫に医療機関を受診するように促すことができる。また家族に高齢者が含まれる場合、高齢者の健康状態を把握できる。更に、家族の代表者は、客観的に判定された自身の健康状態も把握でき、必要に応じて医療機関の受診、健康診断の受診、食事のメニューの決定等を行うことができる。よって、全家族の健康状態を家族間で把握できるので、各家族において健康意識が高まることが期待でき、全家族の健康を家族で支え合うことができる。なお、各家族の健康状態に関する各情報に対して他の家族に公開するか否かを設定できる構成とした場合には、他の家族に知られたくない情報を非公開とすることができる。
【００６９】
本実施形態では、管理対象者が意識することなく、住居に設けられた各機器３１〜３８によって管理対象者に関する情報（検知情報）が収集される。よって、管理対象者は普段の生活を行えばよく心理的負担や身体的負担がないので、検知情報の収集及び検知情報に基づく健康状態の管理（監視）を継続して行うことができる。なお、住居内において洗面所は管理対象者が１人ずつ（１人で）使用する可能性が高い。よって、洗面所に設けられた機器３１〜３５によって取得した検知情報に基づいて、洗面所に居る１人の管理対象者を正確に特定（識別）できる可能性が高い。そこで、本実施形態のように、洗面所に管理対象者が居るときに、管理対象者に関する各種の情報を検知することにより、検知した検知情報がいずれの管理対象者の情報であるかを誤って識別することを抑制できる。
【００７０】
本実施形態の管理システムにおいて、サーバ１０が管理対象者の健康情報を提供するユーザ端末４０は、管理対象者のユーザ端末４０である必要はなく、例えば別居している家族のユーザ端末４０であってもよい。この場合、別居している家族がサーバ１０にアクセスすることにより、サーバ１０から別居中の家族（管理対象者）の健康情報を取得することができる。また、本実施形態の管理システムは、サーバ１０が、ユーザ端末４０からの要求に応じて一覧画面や詳細画面をユーザ端末４０へ提供（送信）する構成に限定されない。例えば、サーバ１０が定期的に、又は管理対象者の健康状態に異常を検出した場合に、一覧画面や詳細画面を対応する管理対象者のユーザ端末４０へ提供（送信）する構成でもよい。例えばサーバ１０は、いずれかのエッジコンピュータ２０から受信して検知情報ＤＢ１２ｂに記憶した検知情報に基づいて管理対象者の健康状態を判定した場合、又は判定した健康状態が所定条件を満たす場合に、一覧画面や詳細画面を提供する構成でもよい。なお、画面を提供すべき所定条件は、例えば体温（表皮温度）が所定温度（例えば３８℃）以上である場合、ストレス度合が所定値以上である場合等、体調が良くないと判断できる条件（基準）を用いることができる。この場合、健康状態に異常が生じた場合に早期に管理対象者に通知できる。このような構成においても、通知先の端末として、別居している家族のユーザ端末４０を登録しておくことにより、別居している家族に、管理対象者の健康状態の異常を通知できる。
【００７１】
本実施形態の管理システムにおいて、エッジコンピュータ２０が各機器３１〜３８から取得した検知情報に基づいて、各検知情報を管理対象者毎に分類（識別）する処理を、サーバ１０が行うように構成してもよい。この場合、エッジコンピュータ２０の制御部２１は、いずれかの機器３１〜３８から検知情報を取得した場合、取得した検知情報をサーバ１０へ送信する。そして、サーバ１０の制御部１１は、エッジコンピュータ２０から受信した検知情報に基づいて、いずれの管理対象者の情報であるかを識別し、識別された管理対象者の世帯ＩＤ及び対象者ＩＤに対応付けて検知情報を検知情報ＤＢ１２ｂに記憶する。このような構成においても、本実施形態と同様の効果が得られる。また、このような構成とした場合、サーバ１０の制御部１１は、エッジコンピュータ２０から受信した検知情報に、マイク３５によって取得した音声データが含まれれば、音声データから発話量や頻出する単語等を検出する処理を行い、検出結果を検知情報ＤＢ１２ｂに記憶する。また、エッジコンピュータ２０から受信した検知情報に、カメラ３７によって取得した撮像画像が含まれる場合、制御部１１は、撮像画像に基づいて、撮像された食事の品名、カロリー、栄養バランス等の栄養情報を検出する処理を行い、検出結果を検知情報ＤＢ２２ｂに記憶する。なお、この場合にも、制御部１１は、撮像画像に基づいて撮像された食事の品名、カロリー、栄養バランス等を検出する処理を、この処理を提供するクラウドサービスを利用して行ってもよい。
【００７２】
（実施形態２）
サーバ１０が管理対象者の健康状態に異常を検出した場合に、異常を通知する通知画面を対応するユーザ端末４０に提供する管理システムについて説明する。本実施形態の管理システムは、実施形態１の管理システムと同様の装置を含み、更に、ユーザ端末４０と同様の構成を有する相談相手端末５０を含む。本実施形態の管理システムは、ユーザ端末４０のユーザが、家族である管理対象者の健康状態について医師や管理栄養士等の専門家に相談できるように構成されており、相談相手端末５０は、相談相手である専門家が使用する端末である。なお、実施形態１の管理システムと同様の構成については同一の符号を付して説明を省略し、相談相手端末５０はユーザ端末４０と同様の構成を有するので説明を省略する。本実施形態の管理システムでは、ユーザ端末４０の記憶部４２及び相談相手端末５０の記憶部がそれぞれチャットアプリ（アプリケーションプログラム）を記憶している。よって、ユーザ端末４０と相談相手端末５０との間でチャットアプリによるメッセージ（テキストデータ）の送受信が行えるように構成されている。
【００７３】
図１４は、実施形態２のサーバ１０が記憶する対象者ＤＢ１２ａの構成例を示す模式図である。図１４に示す本実施形態の対象者ＤＢ（宛先記憶部）１２ａは、図６Ａに示す実施形態１の対象者ＤＢ１２ａと同様の構成を有し、更に宛先情報列を有する。宛先情報列は、各管理対象者の健康状態に異常が生じた場合（正常でない場合）に通知すべきユーザ端末４０の宛先情報を記憶する。対象者ＤＢ１２ａに記憶される宛先情報は、通信部１３又は入力部１４を介して追加、変更又は削除の指示を取得する都度、制御部１１によって追加、変更又は削除される。なお、図１４に示す例では、世帯ＩＤが001の全管理対象者に対して同じ宛先情報が登録されているが、管理対象者毎に異なる宛先情報が登録されてもよい。また、管理対象者の属性毎に異なる宛先情報が登録される構成としてもよい。この場合、例えば管理対象者が所定年齢（例えば１５歳又は２０歳）以下であるか否かに応じて異なる宛先情報を登録できる。
【００７４】
本実施形態の管理システムにおいて、エッジコンピュータ２０は図１１に示す処理と同様の処理を行い、サーバ１０は図１２に示す処理と同様の処理を行う。これにより、本実施形態においても、住居に設けられた各機器３１〜３８が検知した管理対象者に関する検知情報がエッジコンピュータ２０及びサーバ１０で蓄積され、また検知情報に基づいて判定される管理対象者の健康情報がサーバ１０に蓄積される。更に本実施形態の管理システムにおいて、ユーザ端末４０及びサーバ１０は図１３に示す処理と同様の処理を行い、これにより、サーバ１０は、ユーザ端末４０からの要求に応じて管理対象者の健康情報をユーザ端末４０に通知する。
【００７５】
図１５は、実施形態２のサーバ１０による通知処理の手順を示すフローチャート、図１６及び図１７は画面例を示す模式図である。以下の処理は、サーバ１０の記憶部１２に記憶してある制御プログラム１２Ｐに従って制御部１１によって実行され、ユーザ端末４０の記憶部４２に記憶してあるプログラム４２Ｐ，４２ａ，４２ｂに従って制御部４１によって実行され、相談相手端末５０の記憶部に記憶してある制御プログラムに従って制御部によって実行される。
【００７６】
サーバ１０の制御部１１は、所定のタイミングで管理対象者の健康情報を健康情報ＤＢ１２ｃから読み出す（Ｓ５１）。ここでの所定のタイミングは例えばサーバ１０が図１２に示す処理を行った後とすることができる。またサーバ１０の制御部１１が定期的に図１５の処理を行う場合、所定のタイミングは所定時間が経過した後とすることができる。なお、制御部１１が図１２に示す処理を行った後にステップＳ５１の処理を行う場合、制御部１１は、図１２中のステップＳ２４で健康情報ＤＢ１２ｃに記憶した管理対象者の健康情報を健康情報ＤＢ１２ｃから読み出す。また、制御部１１が定期的にステップＳ５１の処理を行う場合、制御部１１は、健康情報ＤＢ１２ｃに記憶してある各管理対象者の健康情報を順に健康情報ＤＢ１２ｃから読み出す。
【００７７】
制御部１１は、読み出した健康情報が示す健康状態が正常であるか否かを判断する（Ｓ５２）。例えば制御部１１は、読み出したストレスに関するスコア（健康情報）が所定値以上であった場合に、この管理対象者の健康状態は正常ではない（異常が生じている）と判断する。また制御部１１は、読み出した体調、体型・発育状態、睡眠、食事に関するスコア（健康情報）のいずれかが所定値未満であった場合に、この管理対象者の健康状態は正常ではない（異常が生じている）と判断する。なお、健康状態が正常であるか否かの判断基準は、通知すべき状態であるか否かを区分できる値であり、管理対象者の属性（例えば年齢）に応じて異なる基準値が設定されていてもよい。読み出した健康情報が示す健康状態が正常であると判断した場合（Ｓ５２：ＹＥＳ）、制御部１１は何も行わずに処理を終了する。なお、制御部１１が定期的にステップＳ５１の処理を行う場合、制御部１１は、未処理の管理対象者の健康情報を健康情報ＤＢ１２ｃから読み出し、読み出した健康情報が示す健康状態が正常であるか否かの判断を繰り返す（Ｓ５２）。
【００７８】
読み出した健康情報が示す健康状態が正常でないと判断した場合（Ｓ５２：ＮＯ）、制御部１１は、正常でない健康状態を通知するための通知画面を生成する（Ｓ５３）。ここでは制御部１１は、正常でないと判断した健康状態（健康情報）に対応する管理対象者の検知情報を検知情報ＤＢ１２ｂから読み出し、読み出した検知情報と正常でないと判断した健康情報とに基づいて、図１６Ａに示すような通知画面を生成する。図１６Ａに示す通知画面は、健康状態に異常が生じている管理対象者について氏名、年齢、顔画像及び健康情報に対する５段階での総合評価を表示する。また図１６Ａに示す通知画面は、正常でないと判断した健康状態に関するメッセージ（例えば「熱があります！」）を表示し、正常でないと判断した健康状態（ここでは体調）に関するスコアと、この健康状態に対応する検知情報（ここでは表皮温度）の時系列データを表示する。なお、図１６Ａに示す例では、表皮温度（体温）の時系列データは、横軸を日時とし縦軸を温度としたグラフで示されている。
【００７９】
制御部（宛先取得部）１１は、生成した通知画面の宛先として、この管理対象者に対応付けて登録してある宛先情報を対象者ＤＢ１２ａから読み出し（Ｓ５４）、読み出した宛先情報に基づいて、この管理対象者に設定された宛先（ユーザ端末４０）に、通知画面を表示するための画面情報を送信する（Ｓ５５）。ユーザ端末４０の制御部４１は、サーバ１０が送信した画面情報を受信し、受信した画面情報に基づいて図１６Ａに示すような通知画面を表示部４５に表示する（Ｓ５６）。これにより、いずれかの管理対象者の健康状態に異常が生じた場合に、管理対象者に応じた宛先に通知することができ、通知を受けた人（例えば管理対象者の保護者や家族）は管理対象者の不調を早期に把握できる。なお、制御部４１は、サーバ１０から画面情報を受信した場合、通知画面を表示する前に画面情報の受信済を表示部４５に表示して通知する構成であってもよい。この場合、ユーザ端末４０において、画面情報の受信済を通知されたユーザ（通知を受ける人）が入力部４４を介して通知画面の表示指示を行うことにより、制御部４１が通知画面を表示部４５に表示する構成とすることができる。
【００８０】
ここで、図１６Ａに示す通知画面には、「医師に相談する」ボタンが表示されており、「医師に相談する」ボタンは、通知画面によって管理対象者の不調（体調不良等）の通知を受けた人が、医療機関を受診すべきか否か等を医師に相談したい場合に入力部４４を介して操作するボタンである。ユーザ端末４０の制御部４１は、表示中の通知画面において「医師に相談する」ボタンが入力部４４を介して操作されたか否かに応じて、医師への相談の要求を受け付けたか否かを判断する（Ｓ５７）。医師への相談の要求を受け付けたと判断した場合（Ｓ５７：ＹＥＳ）、制御部４１は、記憶部４２に記憶してあるチャットアプリを起動し（Ｓ５８）、図１６Ｂに示すように所定の相談相手端末５０との間でメッセージの送受信を行うためのチャット画面を表示部４５に表示する（Ｓ５９）。図１６Ｂに示すチャット画面は、相談相手端末５０との間で送受信したメッセージ（テキストデータ）を表示するためのメッセージ欄Ｍと、相談相手端末５０に送信するメッセージを入力するための入力欄Ｉとを有する。なお、医師への相談の要求を受け付けていないと判断した場合（Ｓ５７：ＮＯ）、制御部４１は処理を終了する。
【００８１】
ユーザ端末４０において表示中のチャット画面に対して入力部４４を介して入力欄Ｉにメッセージが入力された場合、制御部４１は、入力されたメッセージを受け付け、受け付けたメッセージを相談相手端末５０へ送信する（Ｓ６０）。なお、相談相手端末５０の宛先情報は、例えば健康管理アプリ４２ｂに登録されていてもよいし、サーバ１０から受信した通知画面に設定されていてもよい。図１６Ｃに示すチャット画面には、入力部４４を介して入力されて相談相手端末５０へ送信されたメッセージが表示されている。
【００８２】
相談相手端末５０では、図１６Ｃに示すチャット画面と同様のチャット画面が表示部に表示され、相談相手端末５０の制御部は、ユーザ端末４０が送信したメッセージを受信し、受信したメッセージをチャット画面中のメッセージ欄に表示する（Ｓ６１）。これにより、相談相手端末５０のユーザ（相談相手、ここでは医師）は、ユーザ端末４０のユーザ（相談者）からの相談をチャットアプリを介して受け付けることができる。なお、図１６Ｃに示すようにユーザ端末４０に表示されるチャット画面では、相談者がユーザ端末４０を用いて入力したメッセージはメッセージ欄Ｍの右寄りに表示され、相談相手が相談相手端末５０を用いて入力したメッセージはメッセージ欄Ｍの左寄りに表示される。これに対して図示は省略するが、相談相手端末５０に表示されるチャット画面では、相談者がユーザ端末４０を用いて入力したメッセージはメッセージ欄の左寄りに表示され、相談相手が相談相手端末５０を用いて入力したメッセージはメッセージ欄の右寄りに表示される。
【００８３】
相談相手は、相談相手端末５０に表示中のチャット画面において、相談者からの相談に対する回答（回答メッセージ）を入力し、相談相手端末５０の制御部は、入力されたメッセージを受け付け、受け付けたメッセージをユーザ端末４０へ送信する（Ｓ６２）。ユーザ端末４０の制御部４１は、相談相手端末５０が送信したメッセージを受信し、受信したメッセージをチャット画面中のメッセージ欄Ｍに表示する（Ｓ６３）。これにより、相談者は、ユーザ端末４０によって入力した相談メッセージに対する回答メッセージを取得することができる。なお、ユーザ端末４０及び相談相手端末５０は、ステップＳ６０〜Ｓ６３の処理を繰り返すことにより、相談者と相談相手との間でメッセージを送受信することができ、相談者は医師等の相談相手に相談することができる。
【００８４】
図１７はユーザ端末４０に表示されるチャット画面の例を示しており、図１７に示すチャット画面では、ユーザ端末４０及び相談相手端末５０の間で送受信された複数のメッセージが、画面の上方から順に時系列的に表示されている。なお、相談相手端末５０は、相談対象の管理対象者（相談対象者）の健康情報や検知情報をサーバ１０から取得できるように構成されており、医師等の相談相手は、相談者からの相談内容に応じて、相談対象者の情報をサーバ１０から取得する。よって、相談相手は、相談対象者の健康状態を把握することができ、図１７に示す例では相談対象者である「佐藤桃子」が３日間、高熱が続いている状態を確認し、小児科を受診することをアドバイスする回答メッセージを相談者に提供している。なお、相談相手は、相談相手端末５０とは異なる端末を用いてサーバ１０にアクセスして相談対象者の情報をサーバ１０から取得する構成でもよい。この場合、相談相手は、相談相手端末５０とは異なる端末を用いてサーバ１０から相談対象者の情報を取得し、取得した情報に基づいて相談対象者の健康状態を確認した後、相談相手端末５０を用いて回答メッセージをユーザ端末４０へ送信する構成でもよい。なお、相談対象者の情報（健康情報や検知情報）は、相談相手がサーバ１０にアクセスしてサーバ１０から取得するほかに、ユーザ端末４０が相談相手端末５０へ送信する構成でもよい。この場合、相談相手は、チャットアプリによって相談者（ユーザ端末４０）から送信されてきた情報に基づいて相談対象者の健康状態を確認できる。
【００８５】
また、相談相手端末５０は、医療機関のサーバや端末（共に図示せず）にアクセスして医療機関の受診予約を行えるように構成されていてもよい。この場合、相談相手は相談相手端末５０を用いて、例えば相談者（ユーザ端末４０）の現在位置をユーザ端末４０から取得し、取得した現在位置の近傍で受診可能な医療機関を検索し、検索できた場合、図１７に示すように受診可能な医療機関を通知するメッセージを相談者に提供できる。また、相談者から医療機関の受診予約を依頼された場合、相談相手は相談相手端末５０を用いて、検索した医療機関のサーバ又は端末にアクセスして受診予約を行い、予約が取れた場合に、図１７に示すように予約が取れたことを通知するメッセージを相談者に提供する。これにより、本実施形態の管理システムでは、相談相手が相談者に代わって医療機関の受診予約を行い、また、受診予約を行う際に予約先の医療機関の医師等に相談対象者の状況を伝えることもできる。なお、相談相手は相談相手端末５０を用いて、図１７に示すように、予約が取れた医療機関の近傍の地図を相談者に提供してもよい。この場合、相談者が相談相手から提案されて予約を取った医療機関を初めて受診する場合であっても、相談者は相談対象者を医療機関に連れて行くことができる。ここでも相談相手は、相談相手端末５０とは異なる端末を用いて医療機関のサーバ又は端末にアクセスして受診予約を行う構成でもよい。この場合、相談相手は、相談相手端末５０とは異なる端末を用いて受診可能な医療機関の検索や医療機関の受診予約を行い、検索結果や予約結果を相談相手端末５０を用いてユーザ端末４０へ送信する構成でもよい。
【００８６】
上述した処理により、ユーザ端末４０のユーザは、サーバ１０から管理対象者の不調を通知されるだけでなく、通知された管理対象者に関する健康相談を所定の相談相手に行うことができる。よって、医療機関を受診すべきか否かを判断しかねる場合や日常生活において注意すべき点がある場合等に専門家にアドバイスを求めることができる。なお、相談者が相談相手に相談する際に、サーバ１０に蓄積してある相談対象者の健康情報や検知情報を相談相手に公開するか否かを選択できるように構成してもよい。例えば、ユーザ端末４０は、図１６Ａに示す通知画面において「医師に相談する」ボタンが操作された場合に、相談対象者の情報を相談相手に公開するか否かの選択を受け付ける受付画面を表示する。そしてユーザ端末４０は、受付画面を介して情報の公開が選択された場合に、チャットアプリを起動し、図１６Ｂに示すようなチャット画面を表示し、相談相手とのチャットを開始する。このような構成とすることにより、相談対象者（管理対象者）の情報が不用意に公開されることを回避できる。また、各管理対象者の健康情報や検知情報の各情報について、相談相手に公開するか否かを予め設定しておき、公開が設定された情報のみを相談相手に公開する構成とすることもできる。
【００８７】
本実施形態においても、実施形態１と同様の効果が得られる。また本実施形態では、サーバ１０が各管理対象者の健康状態に異常を検出した場合に、管理対象者に設定された宛先に異常を通知するので、通知を受ける人は、ユーザ端末４０を用いてサーバ１０にアクセスすることなく管理対象者の不調を早期に把握できる。また、本実施形態では、管理対象者に関する健康相談を専門家に気軽に行うことができる。
【００８８】
本実施形態において、更に相談相手端末５０は、例えば病児保育や病後児保育を行っている医療機関や施設のサーバや端末にアクセスして病児保育や病後児保育の予約を行えるように構成されていてもよい。この場合、相談者はユーザ端末４０を用いてチャットアプリを介して病児保育や病後児保育の予約を相談相手（相談相手端末５０）に要求する。相談相手は相談相手端末５０を用いて、例えば相談者（ユーザ端末４０）の現在位置の近傍で病児保育や病後児保育の予約が可能な医療機関や施設を検索し、検索できた医療機関や施設を通知するメッセージを相談者に提供する。また、相談者から病児保育や病後児保育の予約を依頼された場合、相談相手は相談相手端末５０を用いて、検索した医療機関や施設のサーバ又は端末にアクセスして病児保育や病後児保育の予約を行い、予約が取れた場合に、予約が取れたことを通知するメッセージを相談者に提供する。このように、健康相談だけでなく病児保育や病後児保育の予約も相談相手（相談相手端末５０）を介して行えるように構成することもできる。なお、相談内容や依頼された予約内容等に応じて複数の相談相手端末５０を設け、ユーザ端末４０からの相談や予約依頼を、複数の相談相手端末５０に接続された相談サーバ（図示せず）にて受け付け、相談サーバが、受け付けた内容に応じてユーザ端末４０とチャットを行う相談相手端末５０を決定してもよい。この場合、ユーザ端末４０では１つのチャット画面を介して健康相談及び病児保育や病後児保育の予約を行うことができ、相談内容や予約内容に応じた相談相手端末５０からの回答を１つのチャット画面にて取得することができる。
【００８９】
（実施形態３）
ユーザ端末４０のユーザがユーザ端末４０を用いて相談相手端末５０のユーザ（相談相手）に栄養相談等の種々の相談を行うことができる管理システムについて説明する。本実施形態の管理システムは、実施形態２の管理システムと同様の装置を有しており、ユーザ端末４０のユーザが、自身を含む家族（管理対象者）の健康状態や栄養状態について医師や管理栄養士等の専門家に相談できるように構成されている。なお、実施形態２の管理システムと同様の構成については説明を省略する。
【００９０】
本実施形態の管理システムにおいて、ユーザ端末４０及びサーバ１０は図１３に示す処理と同様の処理を行う。これにより、ユーザ端末４０は、家族（管理対象者）の健康情報をまとめて表示する一覧画面や、いずれかの管理対象者の詳細な健康情報を表示する詳細画面をサーバ１０から取得する。
【００９１】
図１８は、実施形態３の詳細画面例を示す模式図である。図１３中のステップＳ４２で、ユーザ端末４０の制御部４１は、サーバ１０から受信した画面情報に基づいて図１８に示すような詳細画面を表示部４５に表示する。図１８に示す詳細画面は、図９に示す詳細画面と同様の構成を有し、１人の管理対象者の健康情報として食事に関するスコアと、この管理対象者の食事の撮像画像（検知情報）から検出された栄養バランスを示すレーダーチャートとを表示する。なお、表示される栄養バランスは、例えば直近の１回の食事で摂取した栄養バランスであってもよいし、直近の１日の食事で摂取した栄養バランスであってもよいし、直近の１週間の食事で摂取した栄養バランスであってもよい。また図１８に示す詳細画面に、表示中の栄養バランスに対して不足している栄養成分や、不足している栄養成分を補えるメニューやレシピ等が表示されていてもよい。これにより、ユーザ端末４０のユーザは、以降の食事のメニューを決める際の参考にすることができる。
【００９２】
図１８に示す詳細画面には、「栄養相談する」ボタンが表示されており、「栄養相談する」ボタンは、ユーザ端末４０のユーザが、詳細画面に表示された管理対象者の栄養に関する相談を専門家にしたい場合に入力部４４を介して操作するボタンである。ユーザ端末４０の制御部４１は、表示中の詳細画面において「栄養相談する」ボタンが入力部４４を介して操作されたか否かに応じて、栄養相談の要求を受け付けたか否かを判断しており、栄養相談の要求を受け付けたと判断した場合、制御部４１及び相談相手端末５０の制御部は図１５中のステップＳ５８〜Ｓ６３と同様の処理を行う。即ち、ユーザ端末４０の制御部４１は、記憶部４２に記憶してあるチャットアプリを起動し（Ｓ５８）、図１６Ｂに示すようなチャット画面を表示部４５に表示する（Ｓ５９）。ここでも、サーバ１０に蓄積してある相談対象者の健康情報や検知情報を相談相手に公開するか否かを選択できるように構成してもよい。具体的には、図１８に示す詳細画面において「栄養相談する」ボタンが操作された場合に、相談対象者の情報を相談相手に公開するか否かの選択を受け付ける受付画面を表示部４５に表示する。そしてユーザ端末４０は、受付画面を介して情報の公開が選択された場合に、チャットアプリを起動し、図１６Ｂに示すチャット画面を表示する。
【００９３】
以降のステップＳ６０〜Ｓ６３の処理では、ユーザ端末４０の制御部４１及び相談相手端末５０の制御部は、実施形態２と同様の処理を行い、チャットアプリを介してメッセージの送受信を行う。これにより、相談者（ユーザ端末４０のユーザ）と相談相手（相談相手端末５０のユーザ）との間でメッセージを送受信することができ、相談者は管理栄養士等の相談相手に栄養相談することができる。なお、相談相手端末５０は、相談対象者の健康情報や検知情報（食事画像や食事画像から検出された栄養バランス）をサーバ１０から取得できるように構成されており、相談相手は相談相手端末５０を用いて、相談対象者の情報をサーバ１０から取得できる。よって、相談相手は、相談対象者の栄養状態を把握することができ、栄養状態に応じたアドバイスを相談者に提供することができる。
【００９４】
本実施形態においても、実施形態１と同様の効果が得られる。また本実施形態では、各管理対象者の食事の栄養バランスをモニタリングすることができ、各管理対象者（ユーザ端末４０のユーザ）はモニタリングの結果を把握でき、モニタリングの結果に応じたアドバイスを得ることができる。更にユーザ端末４０のユーザは、管理対象者の栄養に関する相談を専門家に気軽に行うことができる。
【００９５】
今回開示された実施形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００９６】
１０  サーバ（情報処理装置）
１１  制御部
１２  記憶部
１４  入力部
２０  エッジコンピュータ
３１，３８  脈波センサ
３２，３６  表皮温度計
３３  体重計
３４  身長計
３５  マイク
３７  カメラ
１０１  検知情報取得部
１０２  分析部
１０４  画面送信部
２０２  解析部
２０３  対象者識別部
１２ａ  対象者ＤＢ
１２ｂ  検知情報ＤＢ
１２ｃ  健康情報ＤＢ
【図１】
2020135132.tif 000003
【図２】
2020135132.tif 000004
【図３】
2020135132.tif 000005
【図４】
2020135132.tif 000006
【図５】
2020135132.tif 000007
【図６】
2020135132.tif 000008
【図７】
2020135132.tif 000009
【図８】
2020135132.tif 000010
【図９】
2020135132.tif 000011
【図１０】
2020135132.tif 000012
【図１１】
2020135132.tif 000013
【図１２】
2020135132.tif 000014
【図１３】
2020135132.tif 000015
【図１４】
2020135132.tif 000016
【図１５】
2020135132.tif 000017
【図１６】
2020135132.tif 000018
【図１７】
2020135132.tif 000019
【図１８】
2020135132.tif 000020